(57)【要約】【課題】吐水口から吐水される流体の色を変化させることにより、周囲の照明状態等に係わらず流体の温度を使用者が明確に視認し得る吐水装置を提供する。【解決手段】先端部に吐水口が設けられた吐水管と、該吐水管の吐水口から流体を吐水させる操作部材と、その操作によって吐水管から吐水される流体の温度を調整する温度調整部材と、を備えた吐水装置であって、温度調整部材の操作に連動して吐水管から吐水される流体の色を変化させる、例えば三原色のＬＥＤからなる光源及び光源制御部を有する流体色調整手段を設けたことを特徴とする。そして、光源からの光は光ファイバで導かれて吐水管内に照射される。【選択図】　図１
2004124647.tif 000002
【特許請求の範囲】
【請求項１】
先端部に吐水口が設けられた吐水管と、該吐水管の吐水口から流体を吐水させる操作部材と、その操作によって前記吐水管から吐水される流体の温度を調整する温度調整部材と、を備えた吐水装置であって、
前記温度調整部材の操作に連動して前記吐水管から吐水される流体の色を変化させる流体色調整手段を設けたことを特徴とする吐水装置。
【請求項２】
前記流体色調整手段は、所定色の光を流体中に照射する光源と、前記温度調整部材の操作に応じて光源の色を制御する光源制御部と、を備えることを特徴とする請求項１に記載の吐水装置。
【請求項３】
前記光源は、その光の色が変化する一つ光源もしくは光の色がそれぞれ異なる複数の光源で形成されていることを特徴とする請求項２に記載の吐水装置。
【請求項４】
前記複数の光源は、光の三原色の色を放つ３つの光源で形成され、これらの光源が光進入口を中心とした円周上に等間隔で配置されていることを特徴とする請求項３に記載の吐水装置。
【請求項５】
前記光源は、その光が光ファイバの光進入口から進入され該光ファイバにより光照射口まで導かれて吐水管内に照射されることを特徴とする請求項２ないし４のいずれかに記載の吐水装置。
【請求項６】
前記吐水管は、その全体もしくは一部が吐水される流体の色に連動して変色可能であることを特徴とする請求項１ないし５のいずれかに記載の吐水装置。
【請求項７】
前記吐水管の全体もしくは一部が透光性材料で形成されていることを特徴とする請求項６に記載の吐水装置。
【発明の詳細な説明】
【０００１】
【発明の属する技術分野】
本発明は、例えば浴室水栓や洗面室水栓等のように、所定温度の湯や水をその吐水口から吐水させる吐水装置に関する。
【０００２】
【従来の技術】
一般的に、システムバス等の浴室においては、カウンタ上部に洗い場で使用する湯や水（湯水という）を吐水させる浴室水栓が設けられており、この浴室水栓としては、例えば図８もしくは図９に示すものが使用されている。図８に示す浴室水栓１０１は、カウンタ１０６の上面等に取り付けられるものでデッキタイプと称され、水栓カバー１０２の上面に回動可能に突出状態で配設された吐水管１０３と、水栓カバー１０２の右側面に設けられその操作により吐水管の吐水口から湯水を吐水させる操作ハンドル１０４と、水栓カバー１０２の上面前方の傾斜面に設けられた温度調整ダイヤル１０５等を有している。そして、吐水管１０３を回動させて吐水口をカウンタ１０６上部やバスタブ上部に位置させ、温度調整ダイヤル１０５を所定温度に設定して操作ハンドル１０４を操作することにより、所定温度の湯水を洗い場で使用したりバスタブ内へ供給したりすることができるようになっている。
【０００３】
また、図９に示す浴室水栓１０１は、カウンタ１０６上部のミラーパネル２０６等に一体的に組み込まれるものでビルトインタイプと称され、水栓カバー２０２の下面に下方に向けて突出状態で配設された吐水口２０３（吐水管）と、水栓カバー２０２の右側面に設けられその操作により吐水口２０３から湯水を吐水させる操作ハンドル２０４と、水栓カバー２０２の前面上部の傾斜面に設けられた温度調整ダイヤル２０５等を有している。そして、温度調整ダイヤル２０５を所定温度に設定して操作ハンドル２０４を操作することにより、洗い場で所定温度の湯水が使用できるようになっている。
【０００４】
そして、これらの浴室水栓１０１においては、図１０に示すように、操作部１０５ａを有する温度調整ダイヤル１０５、２０５（図では温度調整ダイヤル１０５のみ示す）の外形形状を略半球状に形成しその外周面に温度指示マーク１０５ｂを設けると共に、温度調整ダイヤル１０５の外周側の水栓カバー１０２の表面に、高温域１０７ａと中温域１０７ｂ及び低温域１０７ｃを、例えば色分け表示した温度表示部１０７が設けられている。
【０００５】
ところが、このような浴室水栓１０１においては、温度表示部１０７や温度調整ダイヤル１０５、２０５の形状及びデザインが様々で一見して温度を明確に認識することが困難な場合がある。また、一般的に、浴室水栓１０１でデザイン性を優先する場合には、温度表示部１０７や温度指示マーク１０５ｂを必要以上に大きくし難いため温度表示部１０７等が見難くなる傾向があり、逆に、温度表示部１０７等を見易くすると浴室水栓１０１のデザイン性が劣る傾向にある。さらに昨今、浴室内のリクラゼーション効果として、浴室全体の照明光量を落とし部分的な光（間接光等）を用いる浴室が提案されているが、このような薄暗い浴室内においては、浴室水栓１０１の前記温度表示部１０７等の視認性が劣り、より一層温度表示部１０７等が見難くなるといった不都合があった。
【０００６】
そこで、このように不都合を解消するために、例えば特許文献１に開示されているように、浴室水栓の吐水口部分に照明装置を配置して、水栓の手元を照らす浴室水栓や、特許文献２に開示されているように、浴室水栓の胴体部に赤、青、黄色のＬＥＤを配置したハンドルを組み付け、吐水される湯水の温度によりハンドルの所定色のＬＥＤを点灯させる浴室水栓も提案されている。
【０００７】
【特許文献１】
特開平５−２０２５４０号公報
【特許文献２】
特開２００１−１２３４８５号公報
【０００８】
【発明が解決しようとする課題】
しかしながら、特許文献１の浴室水栓においては、浴室水栓の手元部分を単に所定の照明で照らすだけであるため、入浴者が吐水される湯水の温度を前述したような温度表示部１０７等以外で視認することが困難であり、図８及び図９に示す浴室水栓１０１と同様、浴室内の各種照明状態において所望の温度の湯水を簡単に使用することが難しいという問題点を有している。
【０００９】
また、特許文献２の浴室水栓においては、ハンドルの位置によって所定色のＬＥＤが点灯することから、このＬＥＤによって湯水の温度を視認できるものの、ハンドル操作（湯水の温度）に応じて、操作したハンドルに設けた所定色のＬＥＤが点灯するのみであるため、湯水の温度を表示するＬＥＤの表示が部分的となり易い。また、ハンドルの位置によっては点灯するＬＥＤが吐水管で隠れる状態になる等、ハンドルとは異なる位置にある吐水口から吐水される湯水の温度を入浴者が明確に視認することが難しいという問題点を有している。
【００１０】
本発明は、このような事情に鑑みてなされたもので、その目的は、吐水口から吐水される流体の色を変化させることにより、周囲の照明状態等に係わらず流体の温度を使用者が明確に視認し得る吐水装置を提供することにある。
【００１１】
【課題を解決するための手段】
かかる目的を達成すべく、本発明のうち請求項１に記載の発明は、先端部に吐水口が設けられた吐水管と、該吐水管の吐水口から流体を吐水させる操作部材と、その操作によって前記吐水管から吐水される流体の温度を調整する温度調整部材と、を備えた吐水装置であって、前記温度調整部材の操作に連動して前記吐水管から吐水される流体の色を変化させる流体色調整手段を設けたことを特徴とする。
【００１２】
このように構成することにより、温度調整部材を所望の流体温度が得られる所定位置に設定すると、この温度調整部材に連動して流体色調整手段によって吐水口から吐水される流体の色が変化する。この時、吐水口から吐水される流体自体の色が温度に応じて変化することから、吐水装置の設置場所の照明状態等に係わらず流体の温度を一見して把握することができると共に、例えば高温の流体の場合は暖色系（赤系）とし低温の流体の場合は寒色系（青系）とすること等により、流体温度の視認性が一層高められる。
【００１３】
そして、前記流体色調整手段は、請求項２に記載発明のように、所定色の光を流体中に照射する光源と、前記温度調整部材の操作に応じて光源の色を制御する光源制御部と、を備えることが好ましい。このように構成することにより、流体色調整手段が光源と光源制御部によって構成されることから、その構成の簡略化が図れると共に、例えば温度調整部材の温度制御部に光源制御部の機能を兼用させることができて、温度調整部材と流体色調整手段との確実な連動動作が得られる。
【００１４】
また、前記光源は、請求項３に記載の発明のように、その光の色が変化する一つ光源もしくは光の色がそれぞれ異なる複数の光源で形成されていることを好ましい。このように構成することにより、光源として、電圧や電流等を調整することによりその光が変化する一つの光源を使用したり、複数の色を放つ複数の光源が使用されることから、吐水装置の設置場所等に応じた最適な光源の使用が可能になる。
【００１５】
また、前記複数の光源は、請求項４に記載の発明のように、光の三原色の色を放つ３つの光源で形成され、これらの光源が光進入口を中心とした円周上に等間隔で配置されていることが好ましい。このように構成することにより、光源として光の三原色を放つ３つの光源が使用されることから、３つの光源の点灯状態を制御することにより、光進入口から進入される光を所定色の光に設定できて、吐水される流体の色が無限に変化する。
【００１６】
また、前記光源は、請求項５に記載の発明のように、その光が光ファイバの光進入口から進入され該光ファイバにより光照射口まで導かれて吐水管内に照射されることが好ましい。このように構成することにより、光源からの光が光ファイバを介して光照射口まで導かれることから、光を光進入口から光照射口に確実に伝送できて、吐水される流体の色の安定化が図れると共に、光照射口を所望位置に容易に配置できてその汎用性向上が図れる。
【００１７】
また、前記吐水管は、請求項６に記載の発明のように、その全体もしくは一部が吐水される流体の色に連動して変色可能であることが好ましく、この場合、請求項７に記載の発明のように、前記吐水管の全体もしくは一部が透光性材料で形成されていることが好ましい。このように構成することにより、吐水管の全体や吐水口等の一部が例えば内部を流れる流体の色に連動して発光して色が変化することから、この吐水管の発光色によっても流体の温度を明瞭に把握でき、流体温度の視認性がより一層向上する。また、吐水管の全体もしくは一部を透光性材料で形成することで、内部を流れる流体の色が容易に視認される。
【００１８】
【発明の実施の形態】
以下、本発明の実施の形態を図面に基づいて詳細に説明する。
図１〜図３は、本発明に係わる吐水装置を浴室水栓に適用した場合の一実施形態を示し、図１がその基本的構成を模式的に示す縦断面図、図２がその流体色調整手段の具体的構成の断面図、図３が図２のＡ−Ａ線矢視図である。
【００１９】
図１において、吐水装置１は、箱状の水栓カバー２を有し、この水栓カバー２の上面後部の水平面上には、所定長さの吐水管３の基部が回動可能に配設されている。吐水管３は、その内部に例えば内面が鏡面仕上げされた吐水流路３ａが形成されると共に、この吐水流路３ａの端部である吐水管３の先端部には下方に指向した状態で吐水口３ｂが形成されている。
【００２０】
また、前記水栓カバー２の上面前部の傾斜面には、温度指示部４ｂが設けられた外形形状略半球状の操作部４ａと、この操作部４ａの回転位置に応じた所定の制御信号（温度信号）を図示しない給湯機器等に出力する温度制御部４ｃ等を有する温度調整ダイヤル４が回動操作可能に配設されている。なお、この吐水装置１の温度調整ダイヤル４や水栓カバー２あるいは図示しない操作ハンドル等は、図６に示す浴室水栓１０１と同様に構成されている。そして、この温度調整ダイヤル４と前記吐水管３の基部との間には、流体色調整手段５が配設されている。この流体色調整手段５は、吐水管３の基部で水栓カバー２内に配置され吐水管３内に複数色の光を照射する光源６と、この光源６から吐水管３内に照射される光の色を制御する光源制御部７等を有している。
【００２１】
また、この前記流体色調整手段５の具体的構成は、図２及び図３に示すように、プリント基板等からなる基板８上に配置された光源６としての３つのＬＥＤ６ａ〜６ｃと、この３つのＬＥＤ６ａ〜６ｃの光を吐水管３の所定位置まで導く光ファイバ９等によって構成されている。基板８上には、例えばマイコンもしくは適宜の制御回路等からなる前記光源制御部７が構築され、この光源制御部７が前記温度調整ダイヤル４の温度制御部４ｃに電気的に接続されている。なお、光源制御部７と温度制御部４ｃは別体で形成することもできるが、温度制御部４ｃに光源制御部７の機能を兼用させることで、マイコン等の使用個数を減少させて構成の簡略化を図ることもできる。
【００２２】
前記基板８上に搭載される３つのＬＥＤ６ａ〜６ｃは、光の三原色である赤色を放つＬＥＤ６ａと青色（青紫色）を放つＬＥＤ６ｂ及び緑色を放つＬＥＤ６ｃが使用され、これら３つのＬＥＤ６ａ〜６ｃが円周上に互いに等間隔で配置されている。そして、この３つのＬＥＤ６ａ〜６ｃの球心位置である前記円の中心位置に光ファイバ９の一方の端面が光進入口９ａとして位置している。また、この光ファィバ９の光進入口９ａと基板８との間の外周部は、略円錐形状の集光カバー１０で覆われており、この集光カバー１０によってＬＥＤ６ａ〜６ｃから放たれる光が光ファイバ９の光進入口９ａに反射されつつ案内されるようになっている。
【００２３】
なお、３つのＬＥＤ６ａ〜６ｃは、前記光源制御部７によって、その点灯・消灯が制御されると共に各ＬＥＤ６ａ〜６ｃの点灯時の明るさが段階的（もしくは無段階的に）制御されるように構成されている。また、図２の二点鎖線で示すように、集光カバー１０内に集光レンズ１１を配置して、３つのＬＥＤ６ａ〜６ｃの光を光進入口９ａに効率的に集光させる構成とすることもできる。
【００２４】
そして、光ファイバ９は、水栓カバー２内を引き回されて、その他方の端面が吐水管３の基部に穿設された孔に気密状態で配置され、この光ファイバ９の他方の端面によって光照射口９ｂが形成されている。この光照射口９ｂから、図２の矢印イの如く吐水管３内に光が照射されることで、光により吐水管３内の吐水流路３ａを矢印ロの如く流れる流体としての湯水Ｗ（図１参照）が発光し、この発光した湯水Ｗが吐水流路３ａを流れて吐水口３ｂから例えばカウンタ１２上に吐水される。なお、この例では、３つのＬＥＤ６ａ〜６ｃによって光の三原色を放つように構成したが、ＬＥＤ６ａ〜６ｃの代わりに赤、青、緑の三原色の光をそれぞれ放つ３つの色付き電球等を使用することも勿論可能である。
【００２５】
この吐水装置１によれば、例えばカウンタ１２上に置いた洗面器に所定温度の湯水Ｗを溜めようとした場合、先ず、水栓カバー２に設けられた温度調整ダイヤル４を所定位置に設定する。温度調整ダイヤル４が所定位置に設定されると、その位置に応じた温度制御部４ｃの信号によって光源制御部７を介して光源６に制御信号が出力され、３つのＬＥＤ６ａ〜６ｃのうち所定のＬＥＤ６ａ〜６ｃが点灯する。
【００２６】
この時、例えば、温度調整ダイヤル４が「冷たい」温度位置（図１０の低温域１０７ｃ等）に設定されている場合は、光源制御部７で青色のＬＥＤ６ｂのみを点灯させて湯水Ｗに寒色系（青色系）の光を照射し、温度調整ダイヤル４が「あつい」温度位置（図１０の高温域１０７ａ等）に設定されている場合は、赤色のＬＥＤ６ａのみを点灯させて湯水Ｗに暖色系（赤色系）の光を照射する。また、温度調整ダイヤル４が４０℃等の中温位置（図１０の中温域１０７ｂ等）に設定されている場合は、例えば赤色のＬＥＤ６ａと緑色のＬＥＤ６ｃを点灯させて略「黄色」の光を湯水Ｗに照射したり、各ＬＥＤ６ａ〜６ｃの明るさを光源制御部７で制御することにより、「だいだい色」や「ピンク色」の光を湯水Ｗに照射する。
【００２７】
この温度調整ダイヤル４の位置に応じた光源６の各色の光が、集光カバー１０等により集光されて光ファイバ９の光進入口９ａから進入し、これが光ファイバ９で伝送されて光照射口９ｂから吐水管３内の湯水Ｗに照射される。この湯水Ｗへの光の照射により吐水管３内の湯水Ｗが発光し、吐水装置１の図示しない操作ハンドルが操作されることにより、吐水流路３ａ内の湯水Ｗが発光した状態で流れて吐水口３ｂａからカウンタ１２上に吐水される。この時、吐水管３の吐水流路３ａの内面が鏡面仕上げされていることから、吐水管３内に照射された光が湯水Ｗで屈折等されつつ、かつ吐水流路３ａの内面で反射されつつ湯水Ｗを発光させて吐水口３ａ方向にスムーズに流れ吐水口３ｂから吐水されることになる。
【００２８】
この吐水管３の吐水口３ｂから吐水される発光した湯水Ｗによって、入浴者が湯水Ｗの温度を一見して把握することができ、この吐水時、湯水Ｗ自体が発光することから、浴室内が薄暗い状態であっても、入浴者が湯水Ｗの温度を的確かつ簡単に視認できることになる。そして、湯水Ｗが所望の温度と異なる場合は、温度調整ダイヤル４を高温方向（例えば右方向）や低温方向（例えば左方向）に回動操作することにより、３つのＬＥＤ６ａ〜６ｃの発光状態が変化して、湯水Ｗの発光色が変化する。したがって、この湯水Ｗの発光色の変化を確認しつつ温度調整ができて、所望温度の湯水Ｗを使用しつつ快適な入浴ができることになる。
【００２９】
このように、上記実施形態の吐水装置１にあっては、水栓カバー２内に設けた光源６で、吐水管３内に温度調整ダイヤル４の設定位置に応じてその色が変化する光を照射しこの光で湯水Ｗを発光させるため、吐水口３ｂから吐水される湯水Ｗを温度調整ダイヤル４の位置、すなわち温度調整ダイヤル４で設定される湯水Ｗの温度に応じてその色を変化させることができる。これにより、吐水口３ｂから吐水される湯水Ｗ自体を所定色に発光させることができ、その発光色により湯水Ｗの温度を入浴者が一見して把握することができて、例えば浴室内がリクラゼーション効果で薄暗い場合であっても、吐水される湯水Ｗの温度を入浴者が確実かつ簡単に把握することができる。その結果、吐水装置１の浴室内おける操作性の向上が図れると共に、入浴者が誤って高温の湯を浴びたり冷水を浴びること等がなくなり、入浴時の安全性をも向上させることが可能になる。
【００３０】
また、光源６として光の三原色を放つ３つのＬＥＤ６ａ〜６ｃを使用し、これらが光ファィバ９の光進入口９ａに対して円周上に等間隔で配置されているため、各ＬＥＤ６ａ〜６ｃの発光状態により所定の光が得られ湯水Ｗを温度に対応した所望色に発光させることができる。特に、各ＬＥＤ６ａ〜６ｃの点灯・消灯や明るさ制御により無限色の光が得られて、例えば冷たい温度の湯水Ｗの時には寒色系の色で発光させ、熱い温度の湯水Ｗの時には暖色系の色で発光させることができ、温度に応じた的確な発光色の湯水Ｗを容易に得ることが可能になる。
【００３１】
さらに、光源６としてＬＥＤ６ａ〜６ｃが使用されると共に、このＬＥＤ６ａ〜６ｃの光が光ファイバ９を介して光照射口９ｂに導かれるため、光源６の消費電力の低減化が図れると共に、ＬＥＤ６ａ〜６ｃから発光される光を確実に伝送できて、吐水管３内に所定色の光を効率的な照射することができる。特に、光ファイバ９の光進入口９ａとＬＥＤ６ａ〜６ｃとの外周部に集光カバー１０が設けられているため、ＬＥＤ６ａ〜６ｃの光を光ファイバ９の光進入口９ａに確実に集光できると共に、集光レンズ１１を配置すればＬＥＤ６ａ〜６ｃの光を一層確実に集光できて、湯水Ｗの発光に係わる電力の一層の省エネ化を図ることが可能になる。
【００３２】
また、流体色調整手段５がＬＥＤ６ａ〜６ｃとこのＬＥＤ６ａ〜６ｃが搭載された基板８上に構築された光源制御部７等で形成されるため、流体色調整手段５自体の構成の簡略化が図れると共に、光源制御部７の機能を温度調整ダイヤル４の温度制御部４ｃに兼用させることもできて、その構成の一層の簡略化が図れ、これらのことから、構成簡易して安価であると共に付加価値の高い吐水装置１を得ることが可能になる。また、光源６や光源制御部７等からなる流体色調整手段５を水栓カバー２内に内蔵することができるため、吐水装置１自体のデザイン性を損なうことがなく、吐水装置１をデザイン性が要求される図８や図９に示すような浴室水栓１０１として容易に使用することが可能になる。
【００３３】
またさらに、吐水装置１の流体色調整手段５の作動を、前述した浴室内にリクラゼーション効果を得るために、バスタブの水面にスポットライトを照射しその反射光を浴室の壁面や天井壁に写し出すスポットライト照明装置の作動と連動させることで、吐水口３ｂから吐水される発光した湯水Ｗにより浴室内のリクラゼーション効果を一層助長できて、快適な入浴が可能になるという付随的な作用効果を得ることもできる。
【００３４】
ところで、上記実施形態においては、光ファイバ９の光照射口９ｂを吐水管３の基部で水栓カバー２内に設けたが、例えば図４もしくは図５に示すように設けることもできる。すなわち、図４に示すように、光ファイバ９を吐水管３の基部の周壁内に埋設状態で配設し、その光照射口９ｂを吐水管３の基部コーナ部３ｃに位置させ、この光照射口９ｂから吐水流路３ａの長手方向に沿って光を照射する。このようにすれば、光照射口９ｂから照射される光を長さの長い吐水流路３ｂの流路方向に照射できて、湯水Ｗをより効率的に発光させることができる。
【００３５】
この場合、図の二点鎖線ａで示すように、基部コーナ部３ｃの他方側にも光ファイバ９の光照射口９ｂを設けるようにして、光による湯水Ｗの発光をより一層効率的に行うこともできるし、図の二点鎖線ｂで示すように、光ファイバ９を吐水管３の周壁内に埋設することなく、吐水管３の周壁外面に一体的に配設することもできる。
【００３６】
また、図５に示すように、光ファイバ９を吐水管３の周壁内にその略全長に亘って埋設すると共に、光照射口９ｂを吐水口３ｂの上部に位置させて吐水口方向に指向させる。このようにすれば、光照射口９ｂから照射される光を吐水口３ｂから吐水される湯水Ｗに略直接的に照射できることから、光の伝送ロスが防止されて、吐水される湯水Ｗを効率的に発光させることができ、所望色の湯水Ｗを容易に得ることができる。この場合も、図ｃの二点鎖線で示すように、光照射口９ｂを吐水口３ｂにより近い位置に設けることもできるし、光ファイバ９を吐水管３の周壁内に埋設することなく、周壁外面にクランプ１３や接着剤等で固着することにより、光ファイバ９を吐水管３に一体的に取り付ける構造とすることもできる。
【００３７】
さらに、上記実施形態においては、吐水管３の吐水口３ｂから吐水される湯水Ｗを温度に応じた発光させたが、例えば図６及び図７に示すように、吐水管３の全体あるいは一部を湯水Ｗの発光と連動させて発光させる構成とすることもできる。すなわち、図６に示すように、吐水管３の例えば回動部分３ｄの略全体を透光性材料としての透明な樹脂で形成し、この回動部分３ｄを流れる発光した湯水Ｗの光が外部から視認できるようにする。また、図７に示すように、吐水管３先端の吐水口３ｂ部分を透明な樹脂で形成して、吐水口３ｂから吐水される発光した湯水Ｗが外部から視認できるようにする。
【００３８】
これらの実施形態においても、吐水管３の吐水口３ｂから吐水される湯水Ｗの発光色によってその温度を把握でき、上記実施形態と同様の作用効果が得られる他に、吐水管３や吐水口３ｂ自体も湯水Ｗに連動して発光するため、湯水Ｗの温度の一層明瞭な把握（視認性の向上）が可能になると共に、湯水Ｗの吐水部分をより明るくすることができて、吐水装置１の使い勝手の向上が図れたり、湯水Ｗの吐水部分に幻想的な雰囲気を醸し出すること等が可能になる。
【００３９】
この実施形態の場合、吐水管３や吐水口３ｂの透明度は、内部の湯水Ｗの発光状態が外部から視認される程度であればよく、例えば半透明な透光性樹脂を使用することもできるし、例えば図７の二点鎖線で示すように、所定形状の透光性樹脂１４を吐水管３や吐水口３ｂに一体的に埋め込むことで、この透光性樹脂１４を介して内部の発光した湯水Ｗを容易に視認できる構成とすることもできる。
【００４０】
なお、上記各実施形態においては、光源６からの光を光ファイバ９で光照射口９ｂまで導いたが、本発明はこれに限定されるものでもなく、例えば各例における光照射口９ｂ部分に変色可能な電球等の適宜の光源６を配置し、この電球の光を吐水管３内に照射する構成とすることもできる。また、上記実施形態においては、３つのＬＥＤ６ａ〜６ｃ等により複数色の光を放つ場合について説明したが、例えば供給される電圧や電流により光が赤色系から白色系等に変化可能な一つの電球（光源）を使用することもできる。
【００４１】
さらに、上記各実施形態においては、吐水装置１を図８に示すデッキタイプの浴室水栓１０１に適用した場合について説明したが、図９に示すビルトインタイプの浴室水栓１０１にも適用することができるし、浴室のシャワー装置に適用しそのシャワーヘッドから吐水される湯水を発光させることもできる。また、浴室水栓に限らず、洗面室水栓やトイレ水栓、台所水栓等のように湯水を使用する各種水栓に適用して、その吐水口から吐水される湯水を温度に応じて発光させることもできる。
【００４２】
【発明の効果】
以上詳述したように、請求項１に記載の発明によれば、温度調整部材に連動して流体色調整手段によって吐水口から吐水される流体の色が変化するため、吐水装置の設置場所の照明状態等に係わらず流体自体の色によりその温度を一見して把握することができると共に、例えば高温の流体の場合は暖色系とし低温の流体の場合は寒色系とすることで、流体温度の視認性を一層高めることができて、使い勝手に優れた吐水装置を得ることができる。
【００４３】
また、請求項２に記載の発明によれば、請求項１に記載の発明の効果に加え、流体色調整手段が光源と光源制御部を有するため、その構成を簡略化することができる共に、例えば温度調整部材の温度制御部に光源制御部の機能を兼用させること等ができて、温度調整部材と流体色調整手段とを確実に連動動作させることができる。
【００４４】
また、請求項３に記載の発明によれば、請求項１または２に記載の発明の効果に加え、光源として、電圧や電流等を調整することでその光が変化する一つの光源を使用したり複数の色を放つ複数の光源が使用されるため、吐水装置の設置場所等に応じた最適かつ安価な光源を使用することができる。
【００４５】
また、請求項４に記載の発明によれば、請求項３に記載の発明の効果に加え、光源として光の三原色を放つ３つの光源が使用されるため、３つの光源の点灯状態を制御すること等により、光進入口から進入される光を所定色の光に設定できて、吐水される流体の色を無限に変化させることができる。
【００４６】
また、請求項５に記載の発明によれば、請求項１ないし４に記載の発明の効果に加え、光源からの光が光ファイバを介して光照射口まで導かれるため、光を光進入口から光照射口に確実に伝送できて、吐水される流体の色の安定化を図ることができると共に、光照射口を吐水管の所望位置に容易に配置できて設置の汎用性向上を図ることができる。
【００４７】
また、請求項６に記載の発明によれば、請求項１ないし５に記載の発明の効果に加え、吐水管の全体や吐水口等の一部が内部を流れる流体の色に連動して変色するため、この吐水管の色によっても流体の温度を明瞭に把握できて、流体温度の視認性をより一層向上させることができる。
【００４８】
また、請求項７に記載の発明によれば、請求項６に記載の発明の効果に加え、吐水管の全体もしくは一部が透光性材料で形成されるため、簡易な構成により、吐水口を流れる流体の色が外部から容易に視認され、流体温度の視認性をより一層向上させることができる。
【図面の簡単な説明】
【図１】本発明に係わる吐水装置の一実施形態の基本的構成を示す一部破断した縦断面図
【図２】同流体色調整手段の具体的構成を示す断面図
【図３】同図２のＡ−Ａ線矢視図
【図４】同光照射口の設置状態の変形例を示す断面図
【図５】同光照射口の設置状態の他の変形例を示す断面図
【図６】本発明に係わる吐水装置の他の実施形態を示す斜視図
【図７】本発明に係わる吐水装置のさらに他の実施形態を示す要部の斜視図
【図８】従来の浴室水栓の斜視図
【図９】従来の他の浴室水栓の斜視図
【図１０】同浴室水栓における温度調整ダイヤルの正面図
【符号の説明】
１・・・・・・・吐水装置
２・・・・・・・水栓カバー
３・・・・・・・吐水管
３ａ・・・・・・吐水流路
３ｂ・・・・・・吐水口
３ｄ・・・・・・回動部分
４・・・・・・・温度調整ダイヤル
４ａ・・・・・・操作部
４ｂ・・・・・・温度指示部
４ｃ・・・・・・温度制御部
５・・・・・・・流体色調整手段
６・・・・・・・光源
６ａ〜６ｃ・・・ＬＥＤ
７・・・・・・・光源制御部
８・・・・・・・基板
９・・・・・・・光ファイバ
９ａ・・・・・・光進入口
９ｂ・・・・・・光照射口
１０・・・・・・集光カバー
Ｗ・・・・・・・湯水
【図１】
2004124647.tif 000003
【図２】
2004124647.tif 000004
【図３】
2004124647.tif 000005
【図４】
2004124647.tif 000006
【図５】
2004124647.tif 000007
【図６】
2004124647.tif 000008
【図７】
2004124647.tif 000009
【図８】
2004124647.tif 000010
【図９】
2004124647.tif 000011
【図１０】
2004124647.tif 000012